(57)【要約】【課題】  ヒンジ部を冷蔵庫本体の左右に共通して使用できるようにして、ヒンジ部の数量を減少し、ヒンジ部の無駄を省いた扉の左右開き変更可能な冷蔵庫を提供することにある。【解決手段】  冷蔵庫は、冷蔵庫本体１と、扉５と、上記冷蔵庫本体１に取り付けられると共に上記扉５の上下面のそれぞれを回転自在に支持する上ヒンジ部７および下ヒンジ部１０とを備える。上記下ヒンジ部１０は、左右位置変更可能な形状に形成されている。したがって、上記下ヒンジ部１０を上記冷蔵庫本体１の左右に共通して使用できる。そして、上記扉５の左右開きを変更する場合、上記下ヒンジ部１０を上記冷蔵庫本体１の左右逆側に付け替える。【選択図】  図３Ａ
2007085639.tif 000002
【特許請求の範囲】
【請求項１】
前面を開口した冷蔵庫本体と、
この冷蔵庫本体の開口を覆う扉と、
上記冷蔵庫本体に取り付けられると共に上記扉の上下面のそれぞれを回転自在に支持して、上記扉を上記冷蔵庫本体に対して回転自在に取り付ける上下のヒンジ部と
を備え、
上記上下のヒンジ部の少なくとも一方のヒンジ部は、
上記冷蔵庫本体に離脱自在に取り付けられる枠体と、この枠体に設けられると共に上記扉に離脱自在に取り付けられるピン部とを有し、
さらに、このヒンジ部を上記冷蔵庫本体の左右のそれぞれに取り付けたときに、この左右のヒンジ部が上記冷蔵庫本体の前方からみて互いに左右対称となるように、左右位置変更可能な形状に形成されていることを特徴とする冷蔵庫。
【請求項２】
請求項１に記載の冷蔵庫において、
上記ピン部は、上記枠体に離脱自在に取り付けられていることを特徴とする冷蔵庫。
【請求項３】
請求項１に記載の冷蔵庫において、
上記ピン部は、上記枠体に一体に形成されていることを特徴とする冷蔵庫。
【請求項４】
請求項１に記載の冷蔵庫において、
上記左右位置変更可能な形状に形成されているヒンジ部は、上記冷蔵庫本体に取り付けられた状態で、上下幅中央での水平面に対して、上下対称に形成されていることを特徴とする冷蔵庫。
【請求項５】
請求項１に記載の冷蔵庫において、
上記左右位置変更可能な形状に形成されているヒンジ部は、上記冷蔵庫本体に取り付けられた状態で、前後幅中央での鉛直面に対して、前後対称に形成されていることを特徴とする冷蔵庫。
【発明の詳細な説明】
【技術分野】
【０００１】
この発明は、扉の左右開きを変更できる冷蔵庫に関する。
【背景技術】
【０００２】
従来、冷蔵庫としては、冷蔵庫本体と、扉と、上記冷蔵庫本体に取り付けられると共に上記扉の上下面のそれぞれを回転自在に支持している上下のヒンジ部とを備えたものがある（特開平９−７２１４９号公報：特許文献１参照）。この冷蔵庫では、上記ヒンジ部に、右開き用のヒンジ部を用いており、上記扉を右開きとしている。
【０００３】
しかしながら、上記従来の冷蔵庫では、上記扉を右開きから左開きに変更する場合、左開き用のヒンジ部を、上記冷蔵庫本体の左側に別途設ける必要があった。このため、上記ヒンジ部の数量が多くなり、上記扉の開閉に使用されない方のヒンジ部が、無駄になっていた。
【特許文献１】特開平９−７２１４９号公報
【発明の開示】
【発明が解決しようとする課題】
【０００４】
そこで、この発明の課題は、ヒンジ部を冷蔵庫本体の左右に共通して使用できるようにして、ヒンジ部の数量を減少し、ヒンジ部の無駄を省いた扉の左右開き変更可能な冷蔵庫を提供することにある。
【課題を解決するための手段】
【０００５】
上記課題を解決するため、この発明の冷蔵庫は、前面を開口した冷蔵庫本体と、この冷蔵庫本体の開口を覆う扉と、上記冷蔵庫本体に取り付けられると共に上記扉の上下面のそれぞれを回転自在に支持して、上記扉を上記冷蔵庫本体に対して回転自在に取り付ける上下のヒンジ部とを備え、
上記上下のヒンジ部の少なくとも一方のヒンジ部は、上記冷蔵庫本体に離脱自在に取り付けられる枠体と、この枠体に設けられると共に上記扉に離脱自在に取り付けられるピン部とを有し、さらに、このヒンジ部を上記冷蔵庫本体の左右のそれぞれに取り付けたときに、この左右のヒンジ部が上記冷蔵庫本体の前方からみて互いに左右対称となるように、左右位置変更可能な形状に形成されていることを特徴としている。
【０００６】
この発明の冷蔵庫によれば、上記上下のヒンジ部の少なくとも一方のヒンジ部は、左右位置変更可能な形状に形成されているので、この左右位置変更可能な形状に形成されているヒンジ部を上記冷蔵庫本体の左右に共通して使用できる。そして、上記扉の左右開きを変更する場合、上記左右位置変更可能なヒンジ部を上記冷蔵庫本体の左右逆側に付け替える。したがって、上記ヒンジ部の数量を減少して、扉の左右開き変更可能な冷蔵庫を実現できる。
【０００７】
また、上記左右位置変更可能なヒンジ部は、枠体とこの枠体に設けられたピン部とを有するので、上記枠体と上記ピン部とを一緒に、上記冷蔵庫本体の左右逆側に付け替えることができて、上記枠体と上記ピン部が別々である場合に比べて、作業の手間を省ける。
【０００８】
また、一実施形態の冷蔵庫では、上記ピン部は、上記枠体に離脱自在に取り付けられている。
【０００９】
この実施形態の冷蔵庫によれば、上記ピン部は、上記枠体に離脱自在に取り付けられているので、少なくとも上記枠体を、左右位置変更可能な形状に形成すればよくて、上記左右位置変更可能なヒンジ部を形成し易い。つまり、上記ヒンジ部の左右位置を変更する場合、上記枠体を上記冷蔵庫本体の左右逆側に付け替えてから、上記ヒンジ部が、左右対称となるように、上記ピン部を上記枠体の所定位置に取り付ければよい。
【００１０】
また、一実施形態の冷蔵庫では、上記ピン部は、上記枠体に一体に形成されている。
【００１１】
この実施形態の冷蔵庫によれば、上記ピン部は、上記枠体に一体に形成されているので、上記左右位置変更可能なヒンジ部を構成する部品数を減少できると共に、上記左右位置変更可能なヒンジ部の上記冷蔵庫本体の左右逆側への付け替えが容易となる。
【００１２】
また、一実施形態の冷蔵庫では、上記左右位置変更可能な形状に形成されているヒンジ部は、上記冷蔵庫本体に取り付けられた状態で、上下幅中央での水平面に対して、上下対称に形成されている。
【００１３】
この実施形態の冷蔵庫によれば、上記左右位置変更可能なヒンジ部は、上記冷蔵庫本体に取り付けられた状態で、上下幅中央での水平面に対して、上下対称に形成されているので、このヒンジ部を、上下反転することで左右対称にできて、上記冷蔵庫本体の左右逆側に付け替えることができる。また、上記ピン部を上記冷蔵庫本体の左右端部側へ配置できるので、上記扉の左右幅を大きくでき、上記冷蔵庫本体の開口の左右幅を大きくできて、内容量の多い冷蔵庫を実現できる。
【００１４】
また、一実施形態の冷蔵庫では、上記左右位置変更可能な形状に形成されているヒンジ部は、上記冷蔵庫本体に取り付けられた状態で、前後幅中央での鉛直面に対して、前後対称に形成されている。
【００１５】
この実施形態の冷蔵庫によれば、上記左右位置変更可能なヒンジ部は、上記冷蔵庫本体に取り付けられた状態で、前後幅中央での鉛直面に対して、前後対称に形成されているので、このヒンジ部を、前後反転することで左右対称にできて、上記冷蔵庫本体の左右逆側に付け替えることができる。また、上記ピン部を上記冷蔵庫本体の左右端部側へ配置できるので、上記扉の左右幅を大きくでき、上記冷蔵庫本体の開口の左右幅を大きくできて、内容量の多い冷蔵庫を実現できる。
【発明の効果】
【００１６】
この発明の冷蔵庫によれば、上記上下のヒンジ部の少なくとも一方のヒンジ部は、左右位置変更可能な形状に形成されているので、このヒンジ部を冷蔵庫本体の左右に共通して使用できて、ヒンジ部の数量を減少し、ヒンジ部の無駄を省いた扉の左右開き変更可能な冷蔵庫を実現できる。
【発明を実施するための最良の形態】
【００１７】
以下、この発明を図示の実施の形態により詳細に説明する。
【００１８】
（第１の実施形態）
図１は、この発明の冷蔵庫の第１の実施形態である正面図を示している。この冷蔵庫は、前面を開口した冷蔵庫本体１と、この冷蔵庫本体１の開口を覆う上側の扉５および下側の扉６とを備える。ここで、上方向とは、上記冷蔵庫を使用できるように設置したときのこの冷蔵庫の天井側をいい、左右方向とは、上記冷蔵庫を使用できるように設置し、この冷蔵庫を上記扉５，６側（正面）からみたときのこの冷蔵庫の左右の方向をいい、前方向とは、上記冷蔵庫を使用できるように設置したときのこの冷蔵庫の上記扉５，６側をいう。
【００１９】
上記冷蔵庫本体１の内部には、上下方向の中央位置に、仕切壁４を設け、この仕切壁４よりも上側の空間に冷蔵室２を形成し、この仕切壁４よりも下側の空間に冷凍室３を形成している。
【００２０】
上記上側の扉５は、上記冷蔵室２の開口部１ａを覆うように、上記冷蔵庫本体１に対して回転自在に取り付けられている。そして、この上側の扉５は、実線に示す閉状態から、仮想線に示すように、鉛直軸まわりに回転して開状態となる。
【００２１】
上記下側の扉６は、上記冷凍室３の開口部を覆うように、上記冷蔵庫本体１に対して引出自在に取り付けられている。そして、この下側の扉６は、実線に示す閉状態から、手前に引き出して開状態となる。
【００２２】
上記冷蔵庫本体１には、上ヒンジ部７および下ヒンジ部１０が取り付けられ、上記上側の扉５（以下、この上側の扉５を、単に、扉５という）の上下面のそれぞれを回転自在に支持している。具体的に述べると、上記上ヒンジ部７および上記下ヒンジ部１０は、上記冷蔵庫本体１の右側に取り付けられ、上記扉５は、上記冷蔵庫本体１の右側の鉛直軸まわりに回転自在になる。つまり、上記扉５は、右開きである。
【００２３】
上記上ヒンジ部７は、上記冷蔵庫本体１の上部に取り付けられ、上記冷蔵庫本体１の上部に離脱自在に取り付けられたカバー部材８に覆われている。
【００２４】
この上ヒンジ部７は、図２に示すように、上記冷蔵庫本体１に取り付けられた枠体７ａと、この枠体７ａに離脱自在に取り付けられたピン部７ｂとを有する。
【００２５】
このピン部７ｂは、上記枠体７ａに設けられた孔部に、上側から挿入される。このピン部７ｂは、軸方向中央部に、鍔部を有し、この鍔部が、上記枠体７ａに係止して、上記ピン部７ｂは、上記枠体７ａから抜け止めされる。
【００２６】
このピン部７ｂは、上記枠体７ａに取り付けられた状態で、上記扉５の上面に設けられた孔部５ａに嵌め込まれる。上記ピン部７ｂは、上記扉５を、上記ピン部７ｂまわりに回転自在に支持する。上記枠体７ａは、上記冷蔵庫本体１の左右それぞれに取り付けられている。上記孔部５ａは、上記扉５の上面の左右それぞれに設けられている。
【００２７】
上記下ヒンジ部１０は、図３Ａの正面図と図３Ｂの側面図に示すように、上記冷蔵庫本体１の上記仕切壁４に離脱自在に取り付けられる枠体１１と、この枠体１１に設けられると共に上記扉５に離脱自在に取り付けられるピン部１５とを有する。
【００２８】
上記枠体１１には、ネジ挿通孔１２および突部１３が設けられ、上記仕切壁４の左右それぞれには、ネジ孔４ａおよび嵌込孔４ｂが設けられている。そして、上記枠体１１の上記突部１３を、上記仕切壁４の上記嵌込孔４ｂに嵌め込み、ネジ９を、上記枠体１１の上記ネジ挿通孔１２に挿通しつつ上記仕切壁４のネジ孔４ａに螺合することで、上記枠体１１は、上記仕切壁４に取り付けられる。
【００２９】
上記ピン部１５は、上記枠体１１に離脱自在に取り付けられている。このピン部１５は、上記枠体１１に取り付けられた状態で、上記扉５の下面に設けられた孔部５ｂに嵌め込まれる。上記ピン部１５は、上記扉５を、上記ピン部１５まわりに回転自在に支持する。つまり、上記ピン部１５は、上記扉５および上記枠体１１の少なくとも一方に対して、空回り自在である。上記孔部５ｂは、上記扉５の下面の左右それぞれに設けられている。
【００３０】
上記下ヒンジ部１０は、この下ヒンジ部１０を上記冷蔵庫本体１の左右のそれぞれに取り付けたときに、実線と仮想線に示すように、この左右の下ヒンジ部１０，１０が上記冷蔵庫本体１の前方からみて互いに左右対称となるように、左右位置変更可能な形状に形成されている。
【００３１】
具体的に述べると、図４Ａの正面図と図４Ｂの側面図に示すように、上記枠体１１は、正面からみて横倒しのＵ字状に形成され、水平方向に延びている第１水平部１１ａと、この第１水平部１１ａの下側に離隔して配置されると共に水平方向に延びている第２水平部１１ｂと、上記第１水平部１１ａと上記第２水平部１１ｂを一端側で連結すると共に鉛直方向に延びている連結部１１ｃとを備えている。つまり、上記枠体１１は、上記冷蔵庫本体１に取り付けられた状態で、上下幅中央での水平面Ｓ１に対して、上下対称に形成されている。要するに、上記枠体１１を上下反転することで、左右対称にできる。
【００３２】
上記枠体１１の奥側には、上記ネジ挿通孔１２が形成された奥板が設けられている。上記枠体１１の奥側には、上記突部１３が設けられている。
【００３３】
上記枠体１１には、上記ピン部１５を鉛直方向に挿通するピン挿通孔１４が設けられている。つまり、上記ピン挿通孔１４は、上記第１水平部１１ａおよび上記第２水平部１１ｂのそれぞれに、鉛直方向からみて互いに重なるように、設けられている。
【００３４】
上記ピン部１５は、上記扉５の下面の上記孔部５ｂに嵌め込まれる上側の嵌込ピン１６と、この嵌込ピン１６に接触してこの嵌込ピン１６を抜け止めする下側の抜止ピン１７とを備える。
【００３５】
上記嵌込ピン１６は、上記ピン挿通孔１４の内径よりも細く、上記ピン挿通孔１４に通過自在である。上記嵌込ピン１６の一端面（下面）には、凹部１６ａが設けられている。
【００３６】
上記抜止ピン１７の一端部は、上記嵌込ピン１６の上記凹部１６ａの内径よりも細く、上記抜止ピン１７の他端部は、上記ピン挿通孔１４の内径よりも細い。上記抜止ピン１７の中央部には、上記ピン挿通孔１４の内径よりも太い鍔部１７ａが設けられている。
【００３７】
そして、上記抜止ピン１７は、上記第１水平部１１ａと上記第２水平部１１ｂの間の隙間から、上記第２水平部１１ｂの上記ピン挿通孔１４に嵌め込まれる。このとき、上記抜止ピン１７の上記鍔部１７ａが、上記第２水平部１１ｂに係止して、上記ピン部７ｂは、上記第２水平部１１ｂから抜け止めされる。
【００３８】
上記嵌込ピン１６は、上記第１水平部１１ａの上記ピン挿通孔１４に上側から挿通され、上記嵌込ピン１６の上記凹部１６ａは、上記抜止ピン１７の一端部を嵌め込む。つまり、上記嵌込ピン１６は、上記抜止ピン１７によって、上記下側のピン挿通孔１４から抜け止めされると共に位置決めされる。そして、上記嵌込ピン１６が、上記扉５の上記孔部５ｂに嵌め込まれたとき、上記ピン部１５は、上記扉５を支持する。
【００３９】
次に、上記扉５を右開きから左開きに変更する場合を説明する。
【００４０】
図２に示すように、上記ピン部７ｂを、右側の上記枠体７ａから抜き取って、左側の上記枠体７ａに付け替えて、上記ピン部７ｂを上記扉５の左側の上記孔部５ａに嵌め込む。
【００４１】
一方、図３Ａに示すように、上記下ヒンジ部１０を、上記仕切壁４の右側にある（図示しない）上記ネジ孔４ａおよび上記嵌込孔４ｂから取り外して、仮想線に示すように、上記下ヒンジ部１０を上記仕切壁４の左側にある上記ネジ孔４ａおよび上記嵌込孔４ｂに付け替えて、上記ピン部１５を上記扉５の左側の上記孔部５ｂに嵌め込む。
【００４２】
詳しく述べると、上記下ヒンジ部１０を上記仕切壁４から取り外した後、図４Ａに示すように、上記嵌込ピン１６を上記第１水平部１１ａの上記ピン挿通孔１４から上方向へ引き抜き、上記抜止ピン１７を上記第２水平部１１ｂの上記ピン挿通孔１４から取り外す。
【００４３】
そして、上記枠体１１を上下反転してから、下側に反転した上記第１水平部１１ａの上記ピン挿通孔１４に上記抜止ピン１７を嵌め込み、上側に反転した上記第２水平部１１ｂの上記ピン挿通孔１４に上記嵌込ピン１６を挿通して、上記ピン部１５を上記枠体１１に取り付ける。
【００４４】
このように、上記上ヒンジ部７および上記下ヒンジ部１０を、上記冷蔵庫本体１の左側に付け替えることで、上記扉５を上記冷蔵庫本体１の左側の鉛直軸まわりに回転自在にして、上記扉５を左開きに変更することができる。
【００４５】
上記構成の冷蔵庫によれば、上記下ヒンジ部１０は、左右位置変更可能な形状に形成されているので、上記下ヒンジ部１０を上記冷蔵庫本体１の左右に共通して使用できる。そして、上記扉５の左右開きを変更する場合、上記下ヒンジ部１０を上記冷蔵庫本体１の左右逆側に付け替える。したがって、上記下ヒンジ部１０の数量を減少して、扉の左右開き変更可能な冷蔵庫を実現できる。
【００４６】
また、上記下ヒンジ部１０は、上記枠体１１と上記枠体１１に設けられた上記ピン部１５とを有するので、上記枠体１１と上記ピン部１５とを一緒に、上記冷蔵庫本体１の左右逆側に付け替えることができて、上記枠体１１と上記ピン部１５が別々である場合に比べて、作業の手間を省ける。
【００４７】
また、上記ピン部１５は、上記枠体１１に離脱自在に取り付けられているので、少なくとも上記枠体１１を、左右位置変更可能な形状に形成すればよくて、上記左右位置変更可能な下ヒンジ部１０を形成し易い。つまり、上記下ヒンジ部１０の左右位置を変更する場合、上記枠体１１を上記冷蔵庫本体１の左右逆側に付け替えてから、上記下ヒンジ部１０が、左右対称となるように、上記ピン部１５を上記枠体１１の所定位置に取り付ければよい。
【００４８】
（第２の実施形態）
図５Ａの正面図と図５Ｂの側面図は、この発明の冷蔵庫の第２の実施形態を示している。上記第１の実施形態（図３Ａと図３Ｂ）と比べると、下ヒンジ部の構成が相違する。
【００４９】
この第２の実施形態では、下ヒンジ部２０は、枠体２１と、この枠体２１に離脱自在に取り付けられるピン部２５とを有する。上記枠体２１は、上記冷蔵庫本体１の上記仕切壁４に離脱自在に取り付けられる。上記ピン部２５は、上記扉５に離脱自在に取り付けられる。
【００５０】
上記枠体２１は、側面からみてＬ字状に形成され、水平方向に延びている水平部２１ａと、この水平部２１ａの一端に連結すると共に鉛直方向に延びている鉛直部２１ｂとを備えている。上記鉛直部２１ｂが上記仕切壁４に取り付けられる。上記水平部２１ａには、上記ピン部２５が取り付けられる。
【００５１】
つまり、上記枠体２１は、上記冷蔵庫本体１に取り付けられた状態で、左右幅中央での鉛直面Ｓ２に対して、左右対称に形成されている。要するに、上記枠体２１を反転させることなくそのままの状態で左右対称にできる。
【００５２】
次に、上記扉５を右開きから左開きに変更するために、上記下ヒンジ部２０を（実線にて示す）右位置から（仮想線にて示す）左位置へ変更する場合を説明する。
【００５３】
仮想線に示すように、上記枠体２１を、反転させることなくそのままの状態で、上記冷蔵庫本体１の左側に付け替える。その後、上記下ヒンジ部２０が、左右対称となるように、上記ピン部２５を上記枠体２１の上記水平部２１ａの所定位置に取り付ける。
【００５４】
したがって、上記下ヒンジ部２０を簡単な形状にできるので、上記下ヒンジ部２０を容易に形成でき、上記下ヒンジ部２０の左右逆側への変更が容易になる。
【００５５】
なお、上記仕切壁４の下部に、上記下ヒンジ部２０を取り付けることができる右側の第１領域Ｚ１、および、左側の第２領域Ｚ２を設けてもよい。したがって、上記下ヒンジ部２０を、上記第１領域Ｚ１または上記第２領域Ｚ２に取り付けることで、上記扉５の高さ位置を変更できる。
【００５６】
（第３の実施形態）
図６Ａの正面図と図６Ｂの側面図は、この発明の冷蔵庫の第３の実施形態を示している。上記第１の実施形態（図３Ａと図３Ｂ）と比べると、下ヒンジ部の構成が相違する。
【００５７】
この第３の実施形態では、下ヒンジ部３０は、枠体３１と、この枠体３１に一体に形成されているピン部３５とを有する。上記枠体３１は、ネジ等によって、上記冷蔵庫本体１の上記仕切壁４に離脱自在に取り付けられる。上記ピン部３５は、上記扉５に離脱自在に取り付けられる。
【００５８】
上記枠体３１は、側面からみて横倒しのＴ字状に形成され、鉛直方向に延びている鉛直部３１ａと、この鉛直部３１ａの一端に連結すると共に水平方向に延びている水平部３１ｂとを備えている。上記鉛直部３１ａが上記仕切壁４に取り付けられる。上記水平部３１ｂには、上記ピン部３５が貫通状に取り付けられる。
【００５９】
つまり、上記下ヒンジ部３０は、上記冷蔵庫本体１に取り付けられた状態で、上下幅中央での水平面Ｓ１に対して、上下対称に形成されている。要するに、上記下ヒンジ部３０を上下反転することで左右対称にできる。
【００６０】
次に、上記扉５を右開きから左開きに変更するために、上記下ヒンジ部３０を（実線にて示す）右位置から（仮想線にて示す）左位置へ変更する場合を説明する。仮想線に示すように、上記ヒンジ部３０を、上下反転させて、上記冷蔵庫本体１の左側に付け替える。
【００６１】
したがって、上記ピン部３５は、上記枠体３１に一体に形成されているので、上記下ヒンジ部３０を構成する部品数を減少できると共に、上記下ヒンジ部３０の上記冷蔵庫本体１の左右逆側への付け替えが容易となる。
【００６２】
また、上記下ヒンジ部３０を上下反転することで左右対称にできるので、上記ピン部３５を上記冷蔵庫本体１の左右端部側へ配置できる。したがって、上記扉５の左右幅を大きくでき、上記冷蔵庫本体１の開口の左右幅を大きくできて、内容量の多い冷蔵庫を実現できる。
【００６３】
（第４の実施形態）
図７Ａの正面図と図７Ｂの側面図は、この発明の冷蔵庫の第４の実施形態を示している。上記第１の実施形態（図３Ａと図３Ｂ）と比べると、下ヒンジ部の構成が相違する。
【００６４】
この第４の実施形態では、下ヒンジ部４０は、枠体４１と、この枠体４１に一体に形成されているピン部４５とを有する。上記枠体４１は、上記冷蔵庫本体１の上記仕切壁４に離脱自在に取り付けられる。上記ピン部４５は、上記扉５に離脱自在に取り付けられる。
【００６５】
上記枠体４１は、側面からみて横倒しのＵ字状に形成され、水平方向に延びている第１水平部４１ａと、この第１水平部４１ａの下側に離隔して配置されると共に水平方向に延びている第２水平部４１ｂと、上記第１水平部４１ａと上記第２水平部４１ｂを一端側で連結すると共に鉛直方向に延びている連結部４１ｃとを備えている。上記連結部４１ｃが上記仕切壁４に取り付けられる。上記第１水平部４１ａおよび上記第２水平部４１ｂには、上記ピン部４５が貫通状に取り付けられる。
【００６６】
つまり、上記下ヒンジ部４０は、上記冷蔵庫本体１に取り付けられた状態で、上下幅中央での水平面Ｓ１に対して、上下対称に形成されている。要するに、上記下ヒンジ部４０を上下反転することで左右対称にできる。
【００６７】
次に、上記扉５を右開きから左開きに変更するために、上記下ヒンジ部４０を（実線にて示す）右位置から（仮想線にて示す）左位置へ変更する場合を説明する。仮想線に示すように、上記ヒンジ部４０を、上下反転させて、上記冷蔵庫本体１の左側に付け替える。
【００６８】
したがって、上記ピン部４５は、上記枠体４１に一体に形成されているので、上記下ヒンジ部４０を構成する部品数を減少できると共に、上記下ヒンジ部４０の上記冷蔵庫本体１の左右逆側への付け替えが容易となる。
【００６９】
また、上記下ヒンジ部４０を上下反転することで左右対称にできるので、上記ピン部４５を上記冷蔵庫本体１の左右端部側へ配置できる。したがって、上記扉５の左右幅を大きくでき、上記冷蔵庫本体１の開口の左右幅を大きくできて、内容量の多い冷蔵庫を実現できる。
【００７０】
（第５の実施形態）
図８Ａの正面図と図８Ｂの側面図は、この発明の冷蔵庫の第５の実施形態を示している。上記第１の実施形態（図３Ａと図３Ｂ）と比べると、下ヒンジ部の構成が相違する。
【００７１】
この第５の実施形態では、下ヒンジ部５０は、枠体５１と、この枠体５１に一体に形成されているピン部５５とを有する。上記枠体５１は、上記冷蔵庫本体１の上記仕切壁４に離脱自在に取り付けられる。上記ピン部５５は、上記扉５に離脱自在に取り付けられる。
【００７２】
上記枠体５１は、正面からみてＩ字状に形成されている。この枠体５１の上面に、上記ピン部５５が取り付けられる。つまり、上記下ヒンジ部５０は、上記冷蔵庫本体１に取り付けられた状態で、前後幅中央での鉛直面Ｓ２に対して、前後対称に形成されている。要するに、上記下ヒンジ部５０を前後反転することで左右対称にできる。
【００７３】
次に、上記扉５を右開きから左開きに変更するために、上記下ヒンジ部５０を（実線にて示す）右位置から（仮想線にて示す）左位置へ変更する場合を説明する。仮想線に示すように、上記ヒンジ部５０を、前後反転させて、上記冷蔵庫本体１の左側に付け替える。
【００７４】
したがって、上記ピン部５５は、上記枠体５１に一体に形成されているので、上記下ヒンジ部５０を構成する部品数を減少できると共に、上記下ヒンジ部５０の上記冷蔵庫本体１の左右逆側への付け替えが容易となる。
【００７５】
また、上記下ヒンジ部５０を前後反転することで左右対称にできるので、上記ピン部５５を上記冷蔵庫本体１の左右端部側へ配置できる。したがって、上記扉５の左右幅を大きくでき、上記冷蔵庫本体１の開口の左右幅を大きくできて、内容量の多い冷蔵庫を実現できる。
【００７６】
なお、この発明は上述の実施形態に限定されない。例えば、上記上ヒンジ部７を、上記下ヒンジ部１０，２０，３０，４０，５０のように、左右位置変更可能な形状に形成してもよい。つまり、上ヒンジ部および下ヒンジ部の少なくとも一方のヒンジ部が、左右位置変更可能な形状に形成されていればよい。なお、左右位置変更可能なヒンジ部でない通常のヒンジ部を、上記冷蔵庫本体１の左右のそれぞれに設けるようにしてもよい。
【００７７】
また、ヒンジ部を、上記冷蔵庫本体１に取り付けられた状態で、左右幅中央での鉛直面に対して、左右対称となるように形成して、左右位置変更可能となるようにしてもよい。したがって、このヒンジ部を、反転させることなくそのままの状態で左右対称にできて、上記冷蔵庫本体１の左右逆側に付け替えることができる。なお、この場合、このヒンジ部のピン部を上記冷蔵庫本体１の左右端部側へ配置できないので、扉の左右幅を大きくできない。
【００７８】
また、ピン部と枠体を別体とし、かつ、ピン部を枠体に離脱不能に取り付けてもよい。したがって、上記ピン部と上記枠体の材質を変えることができる。例えば、上記枠体として、剛性のある材質を用い、上記ピン部として、低摩擦の材質を用いる。
【図面の簡単な説明】
【００７９】
【図１】本発明の冷蔵庫の第１実施形態を示す正面図である。
【図２】冷蔵庫の上ヒンジ部近傍を示す正面図である。
【図３Ａ】冷蔵庫の下ヒンジ部近傍を示す正面図である。
【図３Ｂ】図３Ａの右側からみた側面図である。
【図４Ａ】下ヒンジ部の一部断面正面図である。
【図４Ｂ】図４Ａの左側からみた側面図である。
【図５Ａ】本発明の冷蔵庫の第２実施形態を示すと共にこの冷蔵庫の下ヒンジ部近傍を示す正面図である。
【図５Ｂ】図５Ａの右側からみた側面図である。
【図６Ａ】本発明の冷蔵庫の第３実施形態を示すと共にこの冷蔵庫の下ヒンジ部近傍を示す正面図である。
【図６Ｂ】図６Ａの右側からみた側面図である。
【図７Ａ】本発明の冷蔵庫の第４実施形態を示すと共にこの冷蔵庫の下ヒンジ部近傍を示す正面図である。
【図７Ｂ】図７Ａの右側からみた側面図である。
【図８Ａ】本発明の冷蔵庫の第５実施形態を示すと共にこの冷蔵庫の下ヒンジ部近傍を示す正面図である。
【図８Ｂ】図８Ａの右側からみた側面図である。
【符号の説明】
【００８０】
１    冷蔵庫本体
１ａ    開口部
４    仕切壁
５    （回転式の）扉
６    （引出式の）扉
７    上ヒンジ部
１０    下ヒンジ部
１１    枠体
１５    ピン部
２０    下ヒンジ部
２１    枠体
２５    ピン部
３０    下ヒンジ部
３１    枠体
３５    ピン部
４０    下ヒンジ部
４１    枠体
４５    ピン部
５０    下ヒンジ部
５１    枠体
５５    ピン部
Ｓ１    水平面
Ｓ２    鉛直面
【図１】
2007085639.tif 000003
【図２】
2007085639.tif 000004
【図３Ａ】
2007085639.tif 000005
【図３Ｂ】
2007085639.tif 000006
【図４Ａ】
2007085639.tif 000007
【図４Ｂ】
2007085639.tif 000008
【図５Ａ】
2007085639.tif 000009
【図５Ｂ】
2007085639.tif 000010
【図６Ａ】
2007085639.tif 000011
【図６Ｂ】
2007085639.tif 000012
【図７Ａ】
2007085639.tif 000013
【図７Ｂ】
2007085639.tif 000014
【図８Ａ】
2007085639.tif 000015
【図８Ｂ】
2007085639.tif 000016